(57)【特許請求の範囲】
【請求項１】
管本体の周方向に等間隔で並ぶ複数のフィンを有する伝熱管と、
熱交換用流体を前記伝熱管の外面に向けて流出させるトラフと、を備える気化装置であって、
当該気化装置を前記伝熱管の延びる方向に視た場合において、
前記複数のフィンは、前記トラフから流出する前記熱交換用流体の流出方向に直交する直交方向に沿って前記管本体から一方側に突出する直交フィンを含んでおり、
前記複数のフィンのうち２以上のフィンは、前記流出方向に沿って前記管本体から前記トラフに向かって延びる仮想線と前記直交フィンとの間の領域に配置されており、
前記領域に配置されたフィンは、前記直交フィンよりも前記管本体の径方向における長さが短く、前記直交フィンに近いほど前記径方向における長さが長い、
気化装置。
【請求項２】
前記領域に配置されたフィンおよび前記直交フィンのうち前記周方向において互いに隣り合うフィン間のそれぞれには、前記熱交換用流体が流入する流入空間がそれぞれ形成されており、
前記領域に配置されたフィンおよび前記直交フィンの前記径方向の長さは、前記各流入空間における前記直交方向の開口長さと当該各流入空間を形成する前記伝熱管の濡れ縁面積との比率が、基準となる流入空間での前記比率に対してそれぞれ±１０％の範囲に収まるように設定されている、請求項１に記載の気化装置。
【請求項３】
前記領域に配置されたフィンおよび前記直交フィンの前記径方向の長さは、前記各流入空間における前記直交方向の開口長さと当該各流入空間を形成する前記伝熱管の濡れ縁面積との比率がそれぞれ実質的に同一になるように設定されている、請求項２に記載の気化装置。
【発明の詳細な説明】
【技術分野】
【０００１】
本発明は、気化装置に関する。
【背景技術】
【０００２】
従来、液状の低温液化ガスと熱交換用流体との間で熱交換を行わせることにより当該液状の低温液化ガスを気化させる気化装置が知られている。このような気化装置として、特許文献１には、図１１に示すように、内部に液化天然ガスが導入される複数の伝熱管２１０ａが並んで構成される熱交換パネル２１０と、海水が導入される凹溝２２０ａおよび当該凹溝２２０ａの端部から熱交換パネル２１０に向かって下方に傾斜するように延びる流水面２２０ｂを有する振分板２２０と、を備えたオープンラック式気化装置２００が記載されている。このオープンラック式気化装置２００では、振分板２２０の凹溝２２０ａに導入された海水が流水面２２０ｂ上を流れ落ちるようにして各伝熱管２１０ａの外面に供給される。そして、各伝熱管２１０ａの外面を流れる海水と各伝熱管２１０ａの内部を流れる液化天然ガスとの間で熱交換が行われることにより、当該液化天然ガスが気化して天然ガスとなる。
【０００３】
ここで、伝熱管２１０ａは、例えば液化天然ガスと海水との間における熱交換に要する伝熱面積を大きくすることを目的として、複数のフィン２１０ｂを有している。各フィン２１０ａは、伝熱管２１０ａの径方向外側に突出するとともに、当該伝熱管２１０ａの周方向に並んでいる。
【先行技術文献】
【特許文献】
【０００４】
【特許文献１】特開２０１４−８８９１８号公報
【発明の概要】
【発明が解決しようとする課題】
【０００５】
伝熱管２１０ａの形状は、例えば、図１２に示すように、各フィン２１０ｂの突出幅Ｌ１０が全て同一になるとともに、当該伝熱管２１０ａの周方向において互いに隣り合う各フィン２１０ｂの角度θ１０が全て同一になるように設定される。このような形状を有する伝熱管２１０ａでは、振分板２２０が延びる方向において、互いに隣り合うフィン２１０ｂの先端同士の間隔Ａ１０が伝熱管２１０ａの中心Ｏ１０から離間するにつれて狭くなる。このため、振分板２２０が延びる方向に直交する方向に沿って振分板２２０から隣り合うフィン２１０ｂ間の空間に流入する海水は、間隔Ａ１０の大きい空間ほど流量が大きくなる。このため、振分板２２０が延びる方向に突出するフィン２１０ｂと当該フィン２１０ｂに隣り合うフィン２１０ｂとの間の空間Ｓ１０に流入する海水の流量が少なくなり、伝熱管２１０ａに供給される海水の流量が不均一になる。
【０００６】
本発明は、上記の点に鑑みてなされたものであり、その目的は、伝熱管の外面に対して不均一に海水が供給されることを抑制することができる気化装置を提供することにある。
【課題を解決するための手段】
【０００７】
本発明に係る気化装置は、管本体の周方向に等間隔で並ぶ複数のフィンを有する伝熱管と、熱交換用流体を前記伝熱管の外面に向けて流出させるトラフと、を備える気化装置であって、当該気化装置を前記伝熱管の延びる方向に視た場合において、前記複数のフィンは、前記トラフから流出する前記熱交換用流体の流出方向に直交する直交方向に沿って前記管本体から一方側に突出する直交フィンを含んでおり、前記複数のフィンのうち２以上のフィンは、前記流出方向に沿って前記管本体から前記トラフに向かって延びる仮想線と前記直交フィンとの間の領域に配置されており、前記領域に配置されたフィンは、前記直交フィンよりも前記管本体の径方向における長さが短く、前記直交フィンに近いほど前記径方向における長さが長い。
【０００８】
上記の気化装置では、当該気化装置を伝熱管の延びる方向に視た場合において、仮想線と直交フィンとの間の領域に配置されたフィンの長さが当該直交フィンの長さよりも短く設定されている。このため、上記の気化装置では、複数のフィンの長さが均一である気化装置に比べて、直交フィンと前記領域において当該直交フィンに隣り合うフィンとの間の空間に対して流入する熱交換用流体の流量が小さくなることを抑制できる。これにより、伝熱管の外面に対して不均一に海水が供給されることを抑制することができる。
【００１０】
仮想線と直交フィンとの間の領域に配置された２つ以上のフィンの長さが直交フィンに近付くほど長くなるように設定されている。このため、前記領域において互いに隣り合うフィンの間の空間における流出方向に直交する方向の開口長さがばらつくことを抑制することができる。これにより、流出方向に直交する方向において管本体の中心付近ほど熱交換用流体の供給量が多くなることを抑制できる。
【００１１】
前記領域に配置されたフィンおよび前記直交フィンのうち前記周方向において互いに隣り合うフィン間のそれぞれには、前記熱交換用流体が流入する流入空間がそれぞれ形成されており、前記領域に配置されたフィンおよび前記直交フィンの前記径方向の長さは、前記各流入空間における前記直交方向の開口長さと当該各流入空間を形成する前記伝熱管の濡れ縁面積との比率が基準となる流入空間での前記比率に対してそれぞれ±１０％の範囲に収まるように設定されていることが好ましい。
【００１２】
各流入空間の開口長さの比率は、当該各流入空間に流入する熱交換用流体の流量の比率と実質的に同一である。また、各流入空間における単位面積あたりの熱交換用流体の流量は、各流入空間に流入する熱交換用流体の流量を各流入空間の濡れ縁面積に対する比率で割ることにより求まる。このため、上記の気化装置では、各流入空間に流入する熱交換用流体の流量に代えて各流入空間における開口長さを用い、当該開口長さと濡れ縁面積との比率が基準となる流入空間での前記比率に対してそれぞれ±１０％以内に収まるように各フィンの長さを設定することにより、各流入空間における単位面積あたりの熱交換用流体の流量がばらつくことを抑制できる。
【００１３】
前記領域に配置されたフィンおよび前記直交フィンの前記径方向の長さは、前記各流入空間における前記直交方向の開口長さと当該各流入空間を形成する前記伝熱管の濡れ縁面積との比率がそれぞれ実質的に同一になるように設定されていることが好ましい。
【００１４】
上記の気化装置では、各流入空間における単位面積あたりの海水の流量が実質的に同一となるように各フィンの長さが設定されることになる。このため、各流入空間における単位面積あたりの熱交換用流体の流量がばらつくことを抑制できる。
【発明の効果】
【００２３】
以上説明したように、本発明によれば、伝熱管の外面に対して不均一に海水が供給されることを抑制することができる気化装置が提供される。
【図面の簡単な説明】
【００２４】
【図１】第１の実施形態に係る気化装置の概略構成を示す斜視図である。
【図２】第１の実施形態に係る気化装置の概略構成を示す側方断面図である。
【図３】第１の実施形態に係る気化装置の概略構成を示す上面図であって、伝熱管を断面視した図である。なお、図３では、複数の伝熱管のうち、１つの伝熱管のみ図示する。
【図４】図３に示した伝熱管の要部拡大図である。
【図５】第２の実施形態に係る気化装置における伝熱管の各流入空間の開口長さを示すグラフである。
【図６】第２の実施形態に係る気化装置における伝熱管の各流入空間に対する海水の流量分配幅を示すグラフである。
【図７】第２の実施形態に係る気化装置の概略構成を示す上面図であって、伝熱管を断面視した図である。なお、図７では、複数の伝熱管のうち、１つの伝熱管のみ図示する。
【図８】図７に示した伝熱管の要部拡大図である。
【図９】第３の実施形態に係る気化装置の概略構成を示す上面図であって、伝熱管を断面視した図である。なお、図９では、複数の伝熱管のうち、１つの伝熱管のみ図示する。
【図１０】図９に示した伝熱管の要部拡大図である。
【図１１】特許文献１に記載のオープンラック式気化装置の概略構成を示す斜視図である。
【図１２】特許文献１に記載のオープンラック式気化装置における伝熱管および振分板を示す例図であって、伝熱管の延びる方向の上方から視た図である。
【発明を実施するための形態】
【００２５】
以下、本発明の一実施形態について、図面を参照しながら説明する。但し、以下で参照する各図は、説明の便宜上、本実施形態に係る気化装置Ｘ１の構成部材のうち主要部材のみを簡略化して示したものである。したがって、本実施形態に係る気化装置Ｘ１は、本明細書が参照する各図に示されていない任意の構成部材を備え得る。
【００２６】
［第１の実施形態］
まず、図１〜図３を参照しつつ、第１の実施形態に係る気化装置Ｘ１について詳細に説明する。
【００２７】
図１に示すように、気化装置Ｘ１は、オープンラック型の気化装置（ＯＲＶ）である。第１の実施形態では、気化装置Ｘ１は、液状の低温液化ガスとしての液化天然ガス（以下、ＬＮＧ）を気化させて天然ガス（以下、ＮＧ）を生成するものである。なお、気化装置Ｘ１によって気化させる低温液化ガスは、ＬＮＧに限らず、例えば液化石油ガスまたは液化窒素等であってもよい。
【００２８】
気化装置Ｘ１は、複数の伝熱管パネル２と、伝熱管パネル２へＬＮＧを供給するＬＮＧ供給部３と、伝熱管パネル２からＮＧを流出させるＮＧ流出配管４と、伝熱管パネル２の外面に熱交換用流体としての海水を供給するトラフ５と、海水供給配管６を通じてトラフ５に海水を供給する海水供給部７と、を備えている。気化装置Ｘ１では、ＬＮＧ供給部３から伝熱管パネル２に供給されたＬＮＧと海水供給部７から伝熱管パネル２の外面に供給された海水との間で熱交換が行われることによってＬＮＧが気化してＮＧとなり、当該ＮＧがＮＧ流出配管４から流出することになる。
【００２９】
複数の伝熱管パネル２は、平行に並んでいる。図１では、複数枚設けられた伝熱管パネル２のうち３枚の伝熱管パネル２が示されている。なお、伝熱管パネル２の枚数は任意であって、気化装置Ｘ１の使用態様に応じて適宜変更することができる。
【００３０】
伝熱管パネル２は、図１および図２に示すように、複数の伝熱管２１と、下部ヘッダー２２と、上部ヘッダー２３と、を有している。
【００３１】
複数の伝熱管２１は、鉛直方向に延びており、当該鉛直方向に直交する方向に並んでいる。
【００３２】
下部ヘッダー２２は、複数の伝熱管２１が並ぶ方向に延びており、各伝熱管２１の下端に接続されている。各伝熱管パネル２の下部ヘッダー２２は、共通のＬＮＧ供給部３に接続されている。これにより、ＬＮＧ供給部３から各伝熱管パネル２の下部ヘッダー２２にＬＮＧが供給されるとともに、当該下部ヘッダー２２に接続された各伝熱管２１の内部へＬＮＧが分配される。
【００３３】
上部ヘッダー２３は、下部ヘッダー２２と平行に延びており、各伝熱管２１の上端に接続されている。各伝熱管パネル２の上部ヘッダー２３は、共通のＮＧ流出配管４に接続されている。これにより、各伝熱管２１の内部においてＬＮＧが気化することにより発生したＮＧが上部ヘッダー２３へ導出されるとともに、各伝熱管パネル２の上部ヘッダー２３からＮＧ流出配管４の内部へＮＧが流出される。
【００３４】
トラフ５は、各伝熱管パネル２に対応して複数設けられている。図１では、３枚の伝熱管パネル２をそれぞれ両側から挟むようにトラフ５が示されている。なお、トラフ５の数は任意であって、伝熱管パネル２の枚数に応じて適宜変更することができる。
【００３５】
トラフ５は、トラフ本体５１と、トラフエッジ５２と、を有している。
【００３６】
トラフ本体５１は、上面側が開口した箱状をなしている。トラフ本体５１は、伝熱管パネル２の外面に沿って、当該伝熱管パネル２の上端側に位置している。トラフ本体５１は、伝熱管パネル２に含まれる複数の伝熱管２１が並ぶ方向に延びている。
【００３７】
トラフ本体５１には、海水供給配管６を通じて海水供給部７から海水が供給される。具体的には、トラフ本体５１は、当該トラフ本体５１の底面に開口部を有しており、当該開口部と海水供給部７とを海水供給配管６が繋ぐことにより、海水供給部７から海水供給配管６へと流出した海水が前記開口部を通じてトラフ本体５１に流入する。トラフ本体５１に流入した海水は、当該トラフ本体５１に一時的に貯留されることになる。
【００３８】
トラフエッジ５２は、トラフ本体５１の長手方向に直交する方向において、伝熱管パネル２に対向するトラフ本体５１の側壁の上端部に繋がっており、当該上端部から伝熱管パネル２に向かって延びている。本実施形態では、トラフエッジ５２は、前記上端部から下方に傾斜している。互いに対向する伝熱管パネル２の間に配置されたトラフ５では、トラフ本体５１の両上端部から各伝熱管パネル２に向けてそれぞれ反対方向に延びる２つのトラフエッジ５２が設けられている。
【００３９】
海水供給部７からトラフ本体５１に供給された海水は、トラフ本体５１に一時的に貯留された後、当該トラフ本体５１の上端部からトラフエッジ５２上に溢れ出す。そして、トラフエッジ５２上に溢れ出した海水は、当該トラフエッジ５２上をトラフ本体５１の長手方向に直交する方向に沿って流れ、伝熱管パネル２の外面に向けて流出する。本実施形態では、このトラフエッジ５２上から伝熱管パネル２の外面に向けて流れる海水の流れ方向を流出方向Ｄ１（図３参照）と称する。
【００４０】
このようにして、伝熱管パネル２の外面に海水が供給され、当該外面を流れ落ちる海水と伝熱管パネル２に含まれる各伝熱管２１の内部を流れるＬＮＧとの間で熱交換が行われることにより、ＬＮＧが気化してＮＧとなる。
【００４１】
なお、トラフ５から伝熱管パネル２の外面に供給される熱交換用流体は、海水でなくともよく、熱交換によってＬＮＧを気化させることが可能な流体であればよい。
【００４２】
図３は、気化装置Ｘ１を伝熱管２１の延びる方向に視た場合におけるトラフ５と伝熱管２１とを示した図である。なお、図３では、説明の便宜上、伝熱管パネル２に含まれる複数の伝熱管２１のうち１つの伝熱管２１のみを図示しているが、実際には、複数の伝熱管２１が流出方向Ｄ１に直交する直交方向Ｄ２に並んでいる。
【００４３】
図３に示すように、伝熱管２１は、円筒状をなす管本体２１ａと、当該管本体２１ａの外面から径方向の外側に突出する複数のフィン２１ｂと、を有している。複数のフィン２１ｂは、例えば伝熱管２１における伝熱面積を大きくするために設けられている。管本体２１ａに繋がる複数のフィン２１ｂは、当該管本体２１ａの周方向に等間隔に並んでいる。具体的には、複数のフィン２１ｂにおける隣り合うフィン２１ｂ同士がなす角度は、それぞれ実質的に同一となるように設定されている。第１の実施形態では、１つの伝熱管２１に含まれるフィン２１ｂの数は１２に設定されている。この伝熱管２１は、当該伝熱管２１に含まれる１２枚のフィン２１ｂのうち、２枚のフィン２１ｂが流出方向Ｄ１に直交する直交方向Ｄ２に突出するとともに、２枚のフィン２１ｂが流出方向Ｄ１に沿って延び、残りの８枚のフィン２１ｂが流出方向Ｄ１および直交方向Ｄ２に交差する方向に突出するように配置されている。そして、複数のフィン２１ｂが管本体２１ａの周方向に並ぶことにより、互いに隣り合うフィン２１ｂ間のそれぞれには、海水が流入する流入空間が形成されることになる。第１の実施形態では、１２枚のフィン２１ｂが管本体２１ａの周方向に並んでいるため、これに応じて１２に区画された流入空間が形成されることになる。
【００４４】
第１の実施形態では、図３に示すように、流出方向Ｄ１に沿って管本体２１ａからトラフ５へと延びる仮想線Ｙ１上に位置するフィン２１ｂを第０フィンＦ０と称し、残りのフィン２１ｂを当該第０フィンＦ０から時計回りに第１〜第１１フィンＦ１〜Ｆ１１と称する。また、第０フィンＦ０と第１フィンＦ１との間に形成された流入空間を第１流入空間Ｅ１と称し、残りの流入空間を第１流入空間Ｅ１から時計回りに第２〜第１２流入空間Ｅ２〜Ｅ１２と称する。
【００４５】
第１の実施形態では、１２枚のフィン２１ｂが周方向に等間隔に並んでいるため、第０，第６フィンＦ０，Ｆ６が流出方向Ｄ１に突出するとともに、第３，第９フィンＦ３，Ｆ９が直交方向Ｄ２に突出することになる。第１の実施形態では、第３フィンＦ３が流出方向Ｄ１に直交する直交方向Ｄ２に沿って管本体２１ａの一方側（図３にて管本体２１ａの右側）に突出する直交フィンに相当する。そして、直交フィンである第３フィンＦ３と仮想線Ｙ１との間の領域Ｅ０には、第１，第２フィンＦ１，Ｆ２が配置されている。なお、仮想線Ｙ１上の領域は、領域Ｅ０に含まれないものとする。すなわち、第０フィンＦ０は、領域Ｅ０に含まれていないものとする。
【００４６】
第１の実施形態では、図４に示すように、領域Ｅ０に配置された第１，第２フィンＦ１，Ｆ２は、直交フィンである第３フィンＦ３に比べて管本体２１ａの径方向における長さが短く設定されている。また、領域Ｅ０に配置された第１，第２フィンＦ１，Ｆ２は、直交フィンである第３フィンＦ３に近いほど管本体２１ａの径方向における長さが長く設定されている。すなわち、第１の実施形態では、第１〜第３フィンＦ１〜Ｆ３の突出長さＨ１〜Ｈ３は、Ｈ１＜Ｈ２＜Ｈ３の関係を満たしている。具体的には、第１〜第３フィンＦ１〜Ｆ３の突出長さＨ１〜Ｈ３は、以下のようにして設定される。
【００４７】
まず、領域Ｅ０に含まれる第１〜第３流入空間Ｅ１〜Ｅ３における直交方向Ｄ２の開口長さＬ１〜Ｌ３を求める。
【００４８】
図４に示すように、開口長さＬ１は、直交方向Ｄ２において、第０フィンＦ０の先端の中心点と第１フィンＦ１の先端のうち第０フィンＦ０側の端点との間の距離を指す。開口長さＬ２は、直交方向Ｄ２において、第１フィンＦ１の先端の前記端点と第２フィンＦ２の先端のうち第１フィンＦ１側の端点との間の距離を指す。開口長さＬ３は、直交方向Ｄ２において、第２フィンＦ２の先端の前記端点と第３フィンＦ２の先端との間の距離を指す。
【００４９】
管本体２１ａの外径をＤとし、管本体２１ａの径方向における第１フィンＦ１の長さ（管本体２１ａの径方向における当該管本体２１ａの外面から第１フィンＦ１の先端面までの長さ）である突出長さをＨ１とし、互いに隣り合うフィン２１ｂのなす角度をθとし、各フィン２１ｂの厚みをｔとする。このとき、第１流入空間Ｅ１の開口長さＬ１は、以下の式によって表される。
【００５０】
【数１】
0006602577.tif 000002
【００５１】
具体的には、開口長さＬ１は、直交方向Ｄ２において、第０フィンＦ０の先端の中心点と第１フィンＦ１の先端の中心点との間の距離から、第１フィンＦ１の先端の中心点と第１フィンＦ１の先端のうち第０フィンＦ０側の端点との間の距離を引くことにより、算出される。
【００５２】
また、管本体２１ａの径方向における第２フィンＦ２の長さ（管本体２１ａの径方向における当該管本体２１ａの外面から第２フィンＦ２の先端面までの長さ）である突出長さをＨ２とする。このとき、第２流入空間Ｅ２の開口長さＬ２は、以下の式によって表される。
【００５３】
【数２】
0006602577.tif 000003
【００５４】
具体的には、開口長さＬ２は、直交方向Ｄ２において、第０フィンＦ０の先端の中心点と第２フィンＦ２の先端の中心点との間の距離から、第２フィンＦ２の先端の中心点と第２フィンＦ２の先端のうち第１フィンＦ１側の端点と間の距離を引くとともに、開口長さＬ１を引くことにより、算出される。
【００５５】
また、管本体２１ａの径方向における第３フィンＦ３の長さ（管本体２１ａの径方向における当該管本体２１ａの外面から第３フィンＦ３の先端面までの長さ）である突出長さをＨ３とする。このとき、第３流入空間Ｅ３の開口長さＬ３は、以下の式によって表される。
【００５６】
【数３】
0006602577.tif 000004
【００５７】
具体的には、開口長さＬ３は、直交方向Ｄ２において、管本体２１ａの中心Ｏ１と第３フィンＦ３の先端との間の距離から、開口長さＬ１，Ｌ２を引くことにより、算出される。
【００５８】
次に、第１〜第３流入空間Ｅ１〜Ｅ３を形成する伝熱管２１の外面の濡れ縁面積Ａ１〜Ａ３を求める。
【００５９】
濡れ縁面積Ａ１〜Ａ３は、第１〜第３流入空間Ｅ１〜Ｅ３を形成する伝熱管２１の単位長さあたりにおける、伝熱管２１の外面の面積である。第１〜第３流入空間Ｅ１〜Ｅ３は、互いに隣り合うフィン２１ｂの側面および当該フィン２１ｂ間に位置する管本体２１ａの外面によって形成される。
【００６０】
管本体２１ａの径方向における第０フィンＦ０の長さ（管本体２１ａの径方向における当該管本体２１ａの外面から第０フィンＦ０の先端面までの長さ）である突出長さをＨとし、伝熱管２１に含まれるフィン２１ｂの数をＮ（第１の実施形態では、Ｎ＝１２）とするとき、濡れ縁面積Ａ１〜Ａ３は、以下の式によって表される。
【００６１】
【数４】
0006602577.tif 000005
【００６２】
ここで、開口長さＬ１の範囲内を流出方向Ｄ１に流れる海水は、第１流入空間Ｅ１に流入することになる。開口長さＬ２の範囲内を流出方向Ｄ１に流れる海水は、第２流入空間Ｅ２に流入することになる。開口長さＬ３の範囲内を流出方向Ｄ１に流れる海水は、第３流入空間Ｅ３に流入することになる。このため、トラフ５から流出方向Ｄ１に沿って伝熱管２１の外面へと流出する海水の流量が直交方向Ｄ２において均一であるとするとき、第１〜第３流入空間Ｅ１〜Ｅ３のそれぞれに流入する海水の流量比は、開口長さＬ１〜Ｌ３の比と実質的に等しい。このため、開口長さＬ１〜Ｌ３と濡れ縁面積Ａ１〜Ａ３との関係が以下の式（７）を満たすとき、第１〜第３流入空間Ｅ１〜Ｅ３のそれぞれに流入する海水の流量の比と、第１〜第３流入空間Ｅ１〜Ｅ３のそれぞれの濡れ縁面積Ａ１〜Ａ３の比とが同じとなり、領域Ｅ０において伝熱管２１の外面を流れる海水の単位面積あたりの流量が実質的に均一となる。
【００６３】
【数５】
0006602577.tif 000006
【００６４】
上記の式（１）〜（７）より、複数のフィン２１ｂを周方向に均等な角度で配置した場合に、領域Ｅ０において伝熱管２１の外面における単位面積あたりの海水の流量が実質的に均一となる第１〜第３フィンＦ１〜Ｆ３の突出長さＨ１〜Ｈ３が算出される。このとき、突出長さＨ１〜Ｈ３は、Ｈ１＜Ｈ２＜Ｈ３の関係を満たすことになる。なお、突出長さＨについては、突出長さＨ１〜Ｈ３を算出する前に予め所定の値に設定しておき、当該設定した突出長さＨに基づいて突出長さＨ１〜Ｈ３の値を求めることになる。
【００６５】
なお、第１の実施形態では、上記の式（１）〜（７）を満たす第１〜第３フィンＦ１〜Ｆ３の突出長さＨ１〜Ｈ３のみを算出するが、第４〜第１１フィンＦ４〜Ｆ１１の突出長さについても同様の方法にて算出される。
【００６６】
次に、上記において求めた式（７）を満たす第１〜第３フィンＦ１〜Ｆ３の理想的な突出長さＨ１〜Ｈ３から、第１の実施形態における第１〜第３フィンＦ１〜Ｆ３の実際の長さを算出する。第１〜第３フィンＦ１〜Ｆ３の実際の長さは、第１〜第３流入空間Ｅ１〜Ｅ３における開口長さＬ１〜Ｌ３と濡れ縁面積Ａ１〜Ａ３との比率が基準値に対して±１０％以内に収まるように設定される。具体的には、第１〜第３フィンＦ１〜Ｆ３の実際の長さは、図６における第１〜第３流入空間Ｅ１〜Ｅ３の流量分配幅が±１０．０％の範囲に収まる程度の長さに設定される。
【００６７】
第１の実施形態では、第１〜第３フィンＦ１〜Ｆ３の実際の長さは、濡れ縁面積Ａ２，Ａ３に対する開口長さＬ２，Ｌ３の割合が、濡れ縁面積Ａ１に対する開口長さＡ１の割合に対して、±１０％以内に収まるように設定される。このような条件を満たす第１〜第３フィンＦ１〜Ｆ３の実際の長さは、以下のようにして算出される。
【００６８】
第１〜第３フィンＦ１〜Ｆ３が理想的な突出長さＨ１〜Ｈ３にある状態から、第１フィンＦ１の実際の長さをＨ１とし、第２フィンＦ２の実際の長さをｘｈ２Ｈ２（理想的な突出長さＨ２に修正係数ｘｈ２を乗じたもの）とした場合において、第２流入空間Ｅ２の濡れ縁面積Ａ２´は、以下の式によって表される。
【００６９】
【数６】
0006602577.tif 000007
【００７０】
また、第２フィンＦ２の実際の長さをｘｈ２Ｈ２とした場合における第２流入空間Ｅ２の開口長さＬ２´は、以下の式によって表される。
【００７１】
【数７】
0006602577.tif 000008
【００７２】
そして、ｘｈ２Ｈ２が第２フィンＦ２の実際の長さであるとすると、濡れ縁面積Ａ２´に対する開口長さＬ２´の割合は、濡れ縁面積Ａ１に対する開口長さＬ１の割合の±ｍ％（第１の実施形態では、ｍ＝１０）以内に収まることになる。すなわち、濡れ縁面積Ａ２´に対する開口長さＬ２´の割合は、以下の式によって表される。
【００７３】
【数８】
0006602577.tif 000009
【００７４】
上記の式（８）〜（１０）より、第２フィンＦ２の実際の長さであるｘｈ２Ｈ２におけるｘｈ２の範囲は、以下の式によって表される。
【００７５】
【数９】
0006602577.tif 000010
【００７６】
すなわち、第１の実施形態における第２フィンＦ２の実際の長さは、当該第２フィンＦ２の理想的な突出長さＨ２に対して、ｍ＝１０のときの上記の式（１１）を満たすｘｈ２倍した値となる。
【００７７】
同様にして、第１〜第３フィンＦ１〜Ｆ３が理想的な突出長さＨ１〜Ｈ３にある状態から、第３フィンＦ３の実際の長さをｘｈ３Ｈ３（理想的な突出長さＨ２に修正係数ｘｈ３を乗じたもの）とした場合において、第３流入空間Ｅ３の濡れ縁面積Ａ３´は、以下の式によって表される。
【００７８】
【数１０】
0006602577.tif 000011
【００７９】
また、第３フィンＦ３の実際の長さをｘｈ３Ｈ３とした場合における第３流入空間Ｅ３の開口長さＬ３´は、以下の式によって表される。
【００８０】
【数１１】
0006602577.tif 000012
【００８１】
そして、ｘｈ３Ｈ３が第３フィンＦ３の実際の長さであるとすると、濡れ縁面積Ａ３´に対する開口長さＬ３´の割合は、濡れ縁面積Ａ１に対する開口長さＬ１の割合の±ｍ％（第１の実施形態では、ｍ＝１０）以内に収まることになる。すなわち、濡れ縁面積Ａ３´に対する開口長さＬ３´の割合は、以下の式によって表される。
【００８２】
【数１２】
0006602577.tif 000013
【００８３】
上記の式（１２）〜（１４）より、第３フィンＦ３の実際の長さであるｘｈ３Ｈ３におけるｘｈ３の範囲は、以下の式によって表される。
【００８４】
【数１３】
0006602577.tif 000014
【００８５】
すなわち、第１の実施形態における第３フィンＦ３の実際の長さは、当該第３フィンＦ３の理想的な突出長さＨ３に対して、ｍ＝１０のときの上記の式（１５）を満たすｘｈ２倍した値となる。
【００８６】
以上のようにして、第１〜第３フィンＦ１〜Ｆ３の実際の長さが算出される。これらの第１〜第３フィンＦ１〜Ｆ３の実際の長さは、第１フィンＦ１の長さが第２フィンＦ２の長さよりも短く、第２フィンＦ２の長さが第３フィンＦ３の長さよりも短く設定されることになる。
【００８７】
なお、第１の実施形態では、第１流入空間Ｅ１における濡れ縁面積Ａ１に対する開口長さＬ１の割合を基準値として用い、当該割合に対して濡れ縁面積Ａ２´，Ａ３´に対する開口長さＬ２´，Ｌ３´の割合が±１０％以内に収まるように第１〜第３フィンＦ１〜Ｆ３の実際の長さを算出したが、これに限らない。例えば、伝熱管２１の全流入空間における濡れ縁面積に対する開口長さの割合の平均値を基準値とし、当該平均値に対して濡れ縁面積Ａ１´〜Ａ３´に対する開口長さＬ１´〜Ｌ３´の割合が±１０％以内に収まるように第１〜第３フィンＦ１〜Ｆ３の実際の長さを算出してもよい。
【００８８】
このように、第１の実施形態に係る気化装置Ｘ１では、仮想線Ｙ１と直交フィンである第３フィンＦ３との間の領域Ｅ０に配置された第１，第２フィンＦ１，Ｆ２の実際の長さが第３フィンＦ３の実際の長さよりも短く設定される。このため、気化装置Ｘ１では、複数のフィンの長さが均一である従来の気化装置に比べて、第３フィンＦ３と第２フィンＦ２との間に形成される第３流入空間Ｅ３に対して流入する海水の流量が小さくなることを抑制できる。これにより、伝熱管２１の外面に対して不均一に海水が供給されることを抑制することができる。
【００８９】
さらに、気化装置Ｘ１では、仮想線Ｙ１と第３フィンＦ３との間の領域Ｅ０に配置された第１，第２フィンＦ１，Ｆ２の実際の長さが第３フィンＦ３に近付くほど長くなるように設定されている。このため、領域Ｅ０において第１〜第３流入空間Ｅ１〜Ｅ３それぞれの流量に対する濡れ縁面積Ａ１〜Ａ３の比がばらつくことを抑制することができる。これにより、直交方向Ｄ２において管本体２１ａの中心Ｏ１に近い流入空間ほど海水の流入量が多くなることを抑制できる。
【００９０】
さらに、気化装置Ｘ１では、第１〜第３流入空間Ｅ１〜Ｅ３における開口長さＬ１〜Ｌ３と濡れ縁面積Ａ１〜Ａ３との比率が基準値に対して±１０％以内に収まるように第１〜第３フィンＦ１〜Ｆ３の実際の長さを設定している。そのため、伝熱管２１の外面を流れる海水の単位面積あたりの流量がばらつくことを抑制でき、当該流量のばらつきによる伝熱管の曲がりを抑制することができる。しかも、伝熱管２１の外面を流れる海水の単位面積あたりの流量がばらつくことを抑制できることにより、トラフ５へと海水を供給する供給ポンプの動力を低減することができる。
【００９１】
さらに、気化装置Ｘ１では、上記の式（７）を満たすように、第１〜第３流入空間Ｅ１〜Ｅ３における開口長さＬ１〜Ｌ３と濡れ縁面積Ａ１〜Ａ３との比率が実質的に同一になるように第１〜第３フィンＦ１〜Ｆ３の長さを設定することができる。この場合、第１〜第３流入空間Ｅ１〜Ｅ３における単位面積あたりの海水の流量は、実質的に同一となり、伝熱管２１の外面を流れる海水の単位面積あたりの流量がばらつくことをより抑制できる。
【００９２】
なお、第１の実施形態では、伝熱管２１に含まれる複数のフィン２１ｂの一つである第０フィンＦ０が仮想線Ｙ１上に配置されているが、これに限らない。伝熱管２１に含まれる複数のフィン２１ｂはいずれも、仮想線Ｙ１上に配置されていなくともよい。
【００９３】
また、第１の実施形態では、１つの伝熱管２１に含まれるフィン２１ｂの数は１２に設定されているが、これに限らない。伝熱管２１には、管本体２１ａから流出方向Ｄ１のトラフ５側に向かって延びる仮想線Ｙ１と、流出方向Ｄ１に直交する直交方向Ｄ２に突出するフィン２１ｂと、の間の領域Ｅ０において、少なくとも一つのフィンが配置されるように構成されていればよい。このような条件を満たすのであれば、伝熱管２１に含まれるフィン２１ｂの数は特に限定されない。
【００９４】
［第１参考形態］
次に、図７および図８を参照しつつ、第１参考形態に係る気化装置Ｘ１について説明する。なお、第１参考形態に係る気化装置Ｘ１では、第１の実施形態に係る気化装置Ｘ１と同様の構成部材についての説明は省略する。
【００９５】
第１の実施形態では、複数のフィン２１ｂの突出長さがそれぞれ異なるものであるのに対して、第１参考形態では、図７に示すように複数のフィン２１ｂの突出長さが均一に設定されている。また、第１の実施形態では、隣り合うフィン２１ｂ同士のなす角度が全て同一であるのに対して、第１参考形態では、図７に示すように隣り合うフィン２１ｂ同士のなす角度がそれぞれ異なる角度に設定されている。
【００９６】
第１参考形態に係る気化装置Ｘ１では、一つの伝熱管２１に含まれるフィン２１ｂの数Ｎは、Ｎ＝４ｋ（ｋは正の整数）に設定される。具体的には、図７に示すように、第１参考形態に係る気化装置Ｘ１は、一つの伝熱管２１に含まれるフィン２１ｂの数が８つに設定されている。
【００９７】
伝熱管２１は、当該伝熱管２１に含まれる８つのフィン２１ｂのうち、２つのフィン２１ｂが流出方向Ｄ１に直交する直交方向Ｄ２に突出するとともに、２つのフィン２１ｂが流出方向Ｄ１に突出する。そして、残りの４つのフィン２１ｂは、流出方向Ｄ１に突出するフィン２１ｂと直交方向Ｄ２に突出するフィン２１ｂとの間の４つに領域にそれぞれ配置され、流出方向Ｄ１および直交方向Ｄ２に交差する方向に突出する。このようにして、複数のフィン２１ｂが管本体２１ａの周方向に並んでおり、互いに隣り合うフィン２１ｂ間のそれぞれには、海水が流入する流入空間が形成されることになる。第１参考形態では、８つのフィン２１ｂが管本体２１ａの周方向に並んでいるため、これに応じて８つの流入空間が形成されることになる。
【００９８】
第１参考形態では、第１の実施形態と同様に仮想線Ｙ１上に位置するフィン２１ｂを第０フィンＦ０と称し、残りのフィン２１ｂを当該第０フィンＦ０から時計回りに第１〜第７フィンＦ１〜Ｆ７と称する。また、第０フィンＦ０と第１フィンＦ１との間に形成された流入空間を第１流入空間Ｅ１と称し、残りの流入空間を第１流入空間Ｅ１から時計回りに第２〜第８流入空間Ｅ２〜Ｅ８と称する。
【００９９】
第１参考形態では、第０，第４フィンＦ０，Ｆ４が流出方向Ｄ１に突出するとともに、第２，第６フィンＦ２，Ｆ６が直交方向Ｄ２に突出する。第１参考形態では、第２フ
ィンＦ２が流出方向Ｄ１に直交する直交方向Ｄ２に沿って管本体２１ａの一方側（図７にて管本体２１ａの右側）に突出する直交フィンに相当する。そして、直交フィンである第２フィンＦ２と仮想線Ｙ１との間の領域Ｅ０には、第１フィンＦ１が配置されている。
【０１００】
第１参考形態では、図８に示すように、仮想線Ｙ１上に位置する第０フィンＦ０と当該第０フィンＦ０に隣り合う第１フィンＦ１とがなす角度θ１は、直交フィンである第２フィンＦ２と当該第２フィンＦ２に隣り合う第１フィンＦ１とがなす角度θ２よりも小さく設定されている。
【０１０１】
なお、第１参考形態では、領域Ｅ０に配置されるフィン２１ｂが１フィン２１ｂのみであるが、これに限らない。当該領域Ｅ０に配置されるフィン２１ｂの数は、２つ以上であってもよい。この場合、領域Ｅ０に配置される２つ以上のフィン２１ｂおよび直交フィンである第２フィンＦ２のうち互いに隣り合うフィン２１ｂがなす角度は、当該直交フィンである第２フィンＦ２に近づくにつれて大きくなるように設定される。
【０１０２】
第１参考形態では、伝熱管２１に含まれる８つのフィン２１ｂの長さが全て同一のＨに設定されているため、第１流入空間Ｅ１の濡れ縁面積Ａ１と第２流入空間Ｅ２の濡れ縁面積Ａ２とが実質的に同一となる。なお、図８では、説明の便宜上、隣り合うフィン２１ｂ間における管本体２１ａの外面は、表面積が大きく描かれているが、実際には、当該外面の表面積は、フィン２１ｂの外面の表面積に比して無視できる程度の小さい。このため、第１参考形態では、隣り合うフィン２１ｂ間における管本体２１ａの外面の表面積を考慮しないものとする。
【０１０３】
このように、第１流入空間Ｅ１を形成する伝熱管２１の外面を流れる海水の単位面積当たりの流量と、第２流入空間Ｅ２を形成する伝熱管２１の外面を流れる海水の単位面積あたりの流量とは、開口長さＬ１と開口長さＬ２とが同一の開口長さＬである場合に、実質的に同一の流量となる。したがって、直交方向Ｄ２における開口長さＬ１と開口長さＬ２とを同一の開口長さＬにすべく、角度θ１，θ２が以下のとおり設定される。
【０１０４】
まず、開口長さＬは、以下の式によって表される。
【０１０５】
【数１４】
0006602577.tif 000015
【０１０６】
なお、上記のとおり、Ｎは伝熱管２１に含まれるフィン２１ｂの数を示しており、第１参考形態では、Ｎ＝８である。
【０１０７】
また、第１流入空間Ｅ１の開口長さＬ１は、以下の式によって表される。
【０１０８】
【数１５】
0006602577.tif 000016
【０１０９】
上記の式（１６）および式（１７）より、仮想線Ｙ１上の第０フィンＦ０と当該第０フィンＦ０に隣り合う第１フィンＦ１とがなす角度θ１は、以下の式によって表される。
【０１１０】
【数１６】
0006602577.tif 000017
【０１１１】
これと同様にして、第１フィンＦ１と当該１フィン２１ｂに隣り合う第２フィンＦ２とがなす角度θ２は、以下の式によって表される。
【０１１２】
【数１７】
0006602577.tif 000018
【０１１３】
このようにして算出された角度θ１，θ２は、θ１＜θ２の関係を満たすことになる。
【０１１４】
なお、第１参考形態では、上記の式（１６）および式（１７）を満たす角度θ１および角度θ２のみを算出するが、角度θ３〜θ８についても同様の方法にて算出される。具体的には、仮想線Ｙ１から時計回りにｎ番目の角度θｎは、以下の式によって表される。
【０１１５】
【数１８】
0006602577.tif 000019
【０１１６】
ここで、図５には、隣り合う各フィンＦ０〜Ｆ７がなす角度が上記の各式により求められる理想的な角度に設定された場合における第１〜第３流入空間Ｅ１〜Ｅ３に対する開口長さと、各フィンの長さが同一であるとともに隣り合う各フィンがなす角度が均一である従来の気化装置における第１〜第３流入空間に対する開口長さと、を示す。図５に示すように、隣り合う各フィンＦ０〜Ｆ７がなす角度が理想的な角度に設定されている場合、第１〜第３流入空間Ｅ１〜Ｅ３に対する開口長さのそれぞれにおける上限値と下限値との差は、従来の気化装置の第１〜第３流入空間に対する開口長さにおける上限値と下限値との差よりも小さくなる。
【０１１７】
また、図６には、隣り合う各フィンＦ０〜Ｆ７がなす角度が上記の各式により求められる理想的な角度に設定された場合における第１〜第３流入空間Ｅ１〜Ｅ３の流量分配幅と、各フィンの長さが同一であるとともに隣り合う各フィンがなす角度が均一である従来の気化装置における第１〜第３流入空間の流量分配幅と、を示す。ここで、流量分配幅とは、伝熱管２１の外面全体を流れる海水の流量を当該伝熱管２１に形成される流入空間の数で割った平均値に対する、各流入空間を形成する伝熱管２１の外面を流れる海水の流量から当該平均値を引いた値の割合を示すものである。
【０１１８】
図６に示すように、従来の気化装置の場合、第１〜第３流入空間における流量分配幅が−１０．０％〜＋１５．０％ほどの幅があるのに対し、隣り合う各フィンＦ０〜Ｆ７がなす角度が理想的な角度に設定されている場合、第１〜第３流入空間Ｅ１〜Ｅ３における流量分配幅は、全て０．０％程度となっている。
【０１１９】
このように、第１参考形態に係る気化装置Ｘ１では、仮想線Ｙ１と直交フィンである第２フィンＦ２との間の領域Ｅ０において、仮想線Ｙ１上の第０フィンＦ０と当該第０フィンＦ０に隣り合う第１フィンＦ１とがなす角度は、直交フィンである第２フィンＦ２と当該第２フィンＦ２に隣り合う第１フィンＦ１とがなす角度よりも小さく設定されている。このため、上記の気化装置Ｘ１では、複数のフィン２１ｂが周方向に等間隔で並ぶ従来の気化装置に比べて、領域Ｅ０における第２フィンＦ２と第１フィンＦ１との間の第２流入空間Ｅ２に対して流入する海水の量が小さくなることを抑制できる。これにより、伝熱管２１の外面に対して不均一に海水が供給されることを抑制することができる。
【０１２０】
さらに、第１参考形態に係る気化装置Ｘ１において、ｋ≧３を満たす場合、領域Ｅ０に２つ以上のフィン２１ｂが配置されることになる。この場合、領域Ｅ０に配置された２つ以上のフィン２１ｂおよび直交方向Ｄ２に突出するフィン２１ｂのうち、互いに隣り合うフィン２１ｂがなす角度は、直交方向Ｄ２に突出するフィン２１ｂに近付くほど大きくなるように設定される。このため、領域Ｅ０において互いに隣り合うフィン２１ｂの間の流入空間における開口長さがばらつくことを抑制することができる。これにより、これにより、直交方向Ｄ２において管本体２１ａの中心Ｏ１に近い流入空間ほど海水の流入量が多くなることを抑制できる。
【０１２１】
さらに、第１参考形態に係る気化装置Ｘ１では、領域Ｅ０のおける角度θ１および角度θ２は、第１，第２流入空間Ｅ１，Ｅ２における開口長さＬ１，Ｌ２が実質的に同一の長さＬになるように設定されている。このため、第１，第２流入空間Ｅ１，Ｅ２における単位面積あたりの海水の流量は、実質的に同一となる。そのため、流量のばらつきによる伝熱管２１の曲がりを抑制することができる。
【０１２２】
なお、第１参考形態では、第１，第２流入空間Ｅ１，Ｅ２における開口長さＬ１，Ｌ２が実質的に同一の長さＬになるように角度θ１および角度θ２を設定したが、これに限らず、角度θ１および角度θ２は、開口長さＬ１，Ｌ２が基準値から±１０％以内に収まるように設定されてもよい。ここで、基準値としては、例えば第１流入空間Ｅ１における開口長さＬ１が用いられる。このような場合であっても、第１，第２流入空間Ｅ１，Ｅ２における単位面積あたりの海水の流量がばらつくことを十分に抑制することができる。
【０１２３】
［第２参考形態］
次に、図９および図１０を参照しつつ、第２参考形態に係る気化装置Ｘ１ついて説明する。なお、第２参考形態に係る気化装置Ｘ１では、第１参考形態に係る気化装置Ｘ１と同様の構成部材についての説明は省略する。
【０１２４】
第２参考形態では、第１参考形態と同様に、複数のフィン２１ｂの突出長さが均一に設定されているとともに、隣り合うフィン２１ｂ同士のなす角度がそれぞれ異なる角度に設定されている。
【０１２５】
一方、第２参考形態に係る気化装置Ｘ１では、一つの伝熱管２１に含まれるフィン２１ｂの数Ｎが、第１参考形態に係る気化装置Ｘ１とは異なり、Ｎ＝４ｋ＋２（ｋは正の
整数）に設定される。具体的には、図９に示すように、第２参考形態に係る気化装置Ｘ１は、一つの伝熱管２１に含まれるフィン２１ｂの数が６つに設定されている。
【０１２６】
伝熱管２１は、当該伝熱管２１に含まれる６つのフィン２１ｂのうち、２つのフィン２１ｂが流出方向Ｄ１に直交する直交方向Ｄ２に沿って延びている。また、残りの４つのフィン２１ｂは、流出方向Ｄ１および直交方向Ｄ２に交差する方向に沿って延びている。
【０１２７】
第２参考形態では、伝熱管２１に含まれる６つのフィン２１ｂは、管本体２１ａの中心Ｏ１から流出方向Ｄ１に沿ってトラフ５側に延びる仮想線Ｙ１から時計回りに第１〜第６フィンＦ１〜Ｆ６と称する。図９に示すように、第２参考形態では、第２，第５フィンＦ１，Ｆ５が流出方向Ｄ１に沿って延びている。また、第１フィンＦ１と第６フィンＦ６とは、仮想線Ｙ１を挟んで対称に配置されている。また、第３フィンＦ３と第４フィンＦ４とは、第１，第６フィンＦ１，Ｆ６の反対側において当該第１，第６フィンＦ１，Ｆ６と同様に対称に配置されている。すなわち、第２参考形態では、流出方向Ｄ１に突出するフィン２１ｂが存在しないことになる。
【０１２８】
第２参考形態では、第６フィンＦ６と第１フィンＦ１との間に形成された流入空間を第１流入空間Ｅ１と称し、残りの流入空間を第１流入空間Ｅ１から時計回りに第２〜第６流入空間Ｅ２〜Ｅ６と称する。
【０１２９】
第２参考形態では、図１０に示すように、仮想線Ｙ１上と当該仮想線Ｙ１に隣り合う第１フィンＦ１とがなす角度θ１／２は、直交フィンである第２フィンＦ２と当該第２フィンＦ２に隣り合う第１フィンＦ１とがなす角度θ２よりも小さく設定されている。
【０１３０】
第２参考形態では、第１フィンＦ１と第６フィンＦ６とが仮想線Ｙ１を挟んで対称に配置されているため、仮想線Ｙ１と第１フィンＦ１とがなす角度は、第６フィンＦ６と第１フィンＦ１とがなす角度θ１の１／２であり、仮想線Ｙ１と第１フィンＦ１の間の空間の開口長さは、第６フィンＦ６と第１フィンＦ１との間に第１流入空間Ｅ１の開口長さＬ１の１／２である。また、第１流入空間Ｅ１を形成する伝熱管２１の外面を流れる海水の単位面積当たりの流量と、第２流入空間Ｅ２を形成する伝熱管２１の外面を流れる海水の単位面積あたりの流量とは、開口長さＬ１と開口長さＬ２とが同一の開口長さＬである場合に、実質的に同一の流量となる。したがって、直交方向Ｄ２における開口長さＬ１と開口長さＬ２とを同一の開口長さＬにすべく、角度θ１，θ２が以下のとおり設定される。
【０１３１】
まず、開口長さＬは、以下の式によって表される。
【０１３２】
【数１９】
0006602577.tif 000020
【０１３３】
なお、上記のとおり、Ｎは伝熱管２１に含まれるフィン２１ｂの数を示しており、第２参考形態では、Ｎ＝６である。
【０１３４】
また、第１流入空間Ｅ１の開口長さＬ１は、以下の式によって表される。
【０１３５】
【数２０】
0006602577.tif 000021
【０１３６】
上記の式（２１）および式（２２）より、角度θ１は、以下の式によって表される。
【０１３７】
【数２１】
0006602577.tif 000022
【０１３８】
これと同様にして、角度θ２は、以下の式によって表される。
【０１３９】
【数２２】
0006602577.tif 000023
【０１４０】
このようにして算出された角度θ１，θ２は、θ１／２＜θ２の関係を満たすことになる。
【０１４１】
なお、第１参考形態では、上記の式（２１）および式（２２）を満たす角度θ１および角度θ２のみを算出するが、角度θ３〜θ６についても同様の方法にて算出される。具体的には、仮想線Ｙ１から時計回りにｎ番目の角度θｎは、以下の式によって表される。
【０１４２】
【数２３】
0006602577.tif 000024
【０１４３】
このように、第２参考形態に係る気化装置Ｘ１では、仮想線Ｙ１と直交フィンである第２フィンＦ２との間の領域Ｅ０において、仮想線Ｙ１上の第０フィンＦ０と当該第０フィンＦ０に隣り合う第１フィンＦ１とがなす角度は、直交フィンである第２フィンＦ２と当該第２フィンＦ２に隣り合う第１フィンＦ１とがなす角度よりも小さく設定されている。このため、第１参考形態に係る気化装置Ｘ１と同様に、領域Ｅ０における第２フィンＦ２と第１フィンＦ１との間の第２流入空間Ｅ２に対して流入する海水の量が小さくなることを抑制できる。これにより、伝熱管２１の外面に対して不均一に海水が供給されることを抑制することができる。
【０１４４】
以上説明した実施形態は、すべての点で例示であって制限的なものではないと考えられるべきである。本発明の範囲は、上記の実施形態の説明ではなく特許請求の範囲によって示され、さらに特許請求の範囲と均等の意味および範囲内でのすべての変更が含まれる。
【符号の説明】
【０１４５】
Ｅ０          領域
Ｅ１〜Ｅ１２  第１〜第１２流入空間
Ｘ１          気化装置
５            トラフ
２１          伝熱管
２１ａ        管本体
２１ｂ        フィン
Ｆ１〜Ｆ１２  第１〜第１２フィン
【図１】
0006602577.tif 000025
【図２】
0006602577.tif 000026
【図３】
0006602577.tif 000027
【図４】
0006602577.tif 000028
【図５】
0006602577.tif 000029
【図６】
0006602577.tif 000030
【図７】
0006602577.tif 000031
【図８】
0006602577.tif 000032
【図９】
0006602577.tif 000033
【図１０】
0006602577.tif 000034
【図１１】
0006602577.tif 000035
【図１２】
0006602577.tif 000036